(57)【特許請求の範囲】
【請求項１】
シート状の平面部と、
前記平面部における所定の位置に、前記平面部の表面から突出するように形成されている突起部と、
前記突起部が設けられていない前記平面部における表面領域に形成された滑り止め加工部と、を備え、
前記平面部と前記突起部と前記滑り止め加工部とが一体成形されているとともに、
前記突起部は、略円柱状の部分を複数段積層して形成された複数の段差部を有している、
滑り止め材。
【請求項２】
前記滑り止め加工部は、シボ加工によって形成されている、
請求項１に記載の滑り止め材。
【請求項３】
樹脂によって一体成形されている、
請求項１または２に記載の滑り止め材。
【請求項４】
前記平面部の裏面側に設けられた粘着部をさらに備えている、
請求項１から３のいずれか１項に記載の滑り止め材。
【請求項５】
前記平面部は、外周部分に沿って、外縁側に向かって薄肉化していく傾斜部を有している、
請求項１から４のいずれか１項に記載の滑り止め材。
【請求項６】
請求項１から５のいずれか１項に記載の滑り止め材が上面に貼り付けられた車体フレームを備えている、建設機械。
【発明の詳細な説明】
【技術分野】
【０００１】
本発明は、例えば、建設機械の車体フレーム上の通路や階段等の上面に設けられる滑り止め材およびこれを備えた建設機械に関する。
【背景技術】
【０００２】
近年、例えば、建設機械等の車体フレーム上における階段や通路部分に、オペレータの転倒を防止するための滑り止め材が設置されている。
特許文献１には、建設機械、作業車両、産業機械等の通路や床面等に設けられ、泥水や油等が付着しても優れた滑り止め効果を有する滑り止め材について開示されている。
【０００３】
ここでは、金属板に複数の略星型の貫通孔を打ち抜き、それぞれの貫通孔の周縁部を引き起こして複数の突起部を形成することで、優れた滑り止め効果を得ている。
【特許文献１】特開２００５−１７１５６７号公報（平成１７年６月３０日公開）
【発明の開示】
【発明が解決しようとする課題】
【０００４】
しかしながら、上記従来の滑り止め材では、以下に示すような問題点を有している。
すなわち、上記公報に開示された滑り止め材は、金属板を加工することによって形成されるため、製造コストが大きくなりやすいという問題を有している。
【０００５】
本発明の課題は、製造コストを抑制しつつ、優れた滑り止め効果を有する滑り止め材およびこれを備えた建設機械を提供することにある。
【課題を解決するための手段】
【０００６】
第１の発明に係る滑り止め材は、シート状の平面部と、突起部と、滑り止め加工部と、を備えている。突起部は、平面部における所定の位置に、平面部の表面から突出するように形成されている。滑り止め加工部は、突起部が設けられていない平面部における表面領域に形成されている。そして、平面部と突起部と滑り止め加工部とが一体成形されている。突起部は、略円柱状の部分を複数段積層して形成された複数の段差部を有している。
【０００７】
ここでは、例えば、建設機械の車体フレーム上におけるオペレータが走行する面に貼り付けられており、シート状の平面部から突出する突起部を表面に備えた滑り止め材において、平面部における突起部がない表面領域に滑り止め加工が施されている。そして、滑り止め加工部が形成された平面部と突起部とは、一体成形されている。
【０００８】
ここで、上記一体成形は、例えば、平面部、突起部および滑り止め部を、樹脂によって一体成形することで実現される。なお、一体成形には、インジェクション成形等を用いることができる。また、上記滑り止め加工部としては、例えば、シボ加工や凹凸、溝加工等が含まれる。さらに、上記突起部は、平面部の表面に、一定のピッチで複数個形成されていてもよいし、ランダムに形成されていてもよい。
【０００９】
これにより、降雪時や降雨時等において突起部や滑り止め加工部において十分な滑り止め効果を発揮しつつ、突起部の形状や滑り止め加工部の形状が複雑な場合でも一体成形によって同時に成形することができる。よって、金属によって滑り止め材を形成する場合と比較して、大幅な製造コストの低減を図ることができる。
【００１０】
また、ここでは、滑り止め材の表面に設けられた突起部を、例えば、略円柱状の部分を複数段積層して形成している。
これにより、複数の段差部によって滑り止め効果を向上させることができる。よって、例えば、摩耗や経年劣化等によって突起部の端部が擦り減ってしまった場合でも、その下段の段差部によって滑り止め機能を担保することができる。
【００１１】
第２の発明に係る滑り止め材は、第１の発明に係る滑り止め材であって、滑り止め加工部は、シボ加工によって形成されている。
ここでは、平面部の表面に形成された滑り止め加工として、シボ加工を用いている。
【００１２】
これにより、一体成形用の金型の表面にシボ加工を施すことで、容易に滑り止め加工用のシボ加工部分の成形を行うことができる。この結果、製造コストを抑えつつ、滑り止め効果に優れた滑り止め材を得ることができる。
【００１３】
第３の発明に係る滑り止め材は、第１または第２の発明に係る滑り止め材であって、樹脂によって一体成形されている。
ここでは、滑り止め材を樹脂の一体成形品として形成している。
【００１４】
ここで、滑り止め材の成形用の樹脂としては、例えば、耐熱性が高く強度的にも優れた熱可塑性のポリエステルであるＰＢＴ（ポリブチレンテレフタレート）等を用いることができる。
【００１５】
これにより、金属等の他の材料と比較して成形性に優れた樹脂を用いて一体成形しているため、例えば、突起部のエッジ部分等のような高い成形精度が要求される部分の成形を精度良く行うことができる。また、使用環境や要求条件等に応じて耐熱性や耐摩耗性に優れた樹脂、軟質や半硬質等の樹脂等を選択して成形することで、所望の剛性、たわみ易さ、表面硬度等を有する滑り止め材を容易に成形することができる。さらには、金属によって形成される滑り止め材と比較して、コスト的に有利であることから、摩耗や経年劣化等によって滑り止め材の交換が必要になった場合でも、コスト的な負担を抑えつつ取り換えることができる。
【００１６】
第４の発明に係る滑り止め材は、第１から第３の発明のいずれか１つに係る滑り止め材であって、平面部の裏面側に設けられた粘着部をさらに備えている。
ここでは、シート状の平面部における突起部が形成された表面とは反対の裏面側に、粘着部を設けている。
【００１７】
ここで、上記粘着部は、粘着シートであってもよいし、接着剤等が塗布された部分であってもよい。
これにより、裏面に設けられた粘着部によって車体フレーム等に固定することで、滑り止め材を容易に設置することができる。また、金属製の滑り止め材と比較して、耐摩耗性に劣る樹脂製の滑り止め材を採用した場合でも、粘着シートによって固定されているだけであるため、容易に交換することができる。
【００１８】
第５の発明に係る滑り止め材は、第１から第４の発明のいずれか１つに係る滑り止め材であって、平面部は、外周部分に沿って、外縁側に向かって薄肉化していく傾斜部を有している。
【００１９】
ここでは、平面部の外周部分に沿って、外縁側に向かって下方傾斜（薄肉化）する傾斜部を設けている。
ここで、傾斜部は、上述した平面部や突起部等との一体成形時に形成してもよいし、一体成形後のトリミング加工等によって形成してもよい。
【００２０】
これにより、オペレータが通路を歩いている際に、平面部の端部付近に靴が引っ掛かって剥がれてしまうことを防止することができる。この結果、製造コストを抑制しつつ、滑り止め効果とともに、剥がれ防止効果を付与することができる。
【００２１】
第６の発明に係る建設機械は、第１から第５の発明のいずれか１つに係る滑り止め材が上面に貼り付けられた車体フレームを備えている。
これにより、上述したように、製造コストを抑制しつつ、優れた滑り止め効果を持つ滑り止め材によって、車体フレーム上において作業を行うオペレータの転倒を従来以上に効果的に防止することができる。
【発明の効果】
【００２２】
本発明に係る滑り止め材によれば、製造コストを抑制しつつ、優れた滑り止め効果を得ることができる。
【発明を実施するための最良の形態】
【００２３】
本発明の一実施形態に係る滑り止め材２０ａ〜２０ｅが貼り付けられた油圧ショベル（建設機械）１について、図１〜図１３を用いて説明すれば以下の通りである。なお、以下の説明で用いる「左」、「右」とは、油圧ショベル１が前進する方向を「前」とし、前進時のオペレータから見た左右方向をそれぞれ意味するものとする。
【００２４】
［油圧ショベル１全体の構成］
本実施形態に係る油圧ショベル１は、図１に示すように、下部走行体２と、旋回台（車体フレーム）３と、作業機４と、カウンタウェイト５と、エンジンルーム６と、機器室９と、キャブ１０と、滑り止め材２０ａ〜２０ｅ（図２等参照）と、を備えている。
【００２５】
下部走行体２は、進行方向における左右両端部分に巻き掛けられた履帯Ｐを回転させることで、油圧ショベル１を前進、後進させるとともに、上面側に旋回台３を旋回可能な状態で搭載している。
【００２６】
旋回台３は、下部走行体２上において、任意の方向に旋回可能であって、上面に作業機４と、カウンタウェイト５と、エンジンルーム６と、キャブ１０とを搭載している。
作業機４は、ブーム１１と、ブーム１１の先端に取り付けられたアーム１２と、アーム１２の先端に取り付けられたバケット１３とを含むように構成されている。そして、作業機４は、図示しない油圧回路に含まれる各油圧シリンダ１１ａ，１２ａ，１３ａ等によって、ブーム１１やアーム１２、バケット１３等を上下に移動させながら、土砂や砂礫等の掘削を行う土木工事の現場において作業を行う。
【００２７】
カウンタウェイト５は、例えば、鋼板を組み立てて形成した箱の中に屑鉄やコンクリート等を入れて固めたものであって、採掘時等において車体のバランスをとるために旋回台３上におけるエンジンルーム６の後方に設けられている。
【００２８】
エンジンルーム６は、カウンタウェイト５に隣接する位置に配置されており、開閉可能なエンジンフード１４によって覆われた点検用の上部開口を有している。そして、エンジンルーム６は、下部走行体２や作業機４を駆動するための動力源であるエンジン（図示せず）や冷却ユニット（図示せず）等を内部に収容している。
【００２９】
機器室９は、作業機４の後方に配置されており、図示しない燃料タンクや作動油タンクおよび操作弁等を収容する。
キャブ１０は、油圧ショベル１のオペレータが乗降する運転室であって、作業機４の先端部を見通せるように、旋回台３上における作業機４の側方となる左側前部に配置されている。
【００３０】
滑り止め材２０ａ〜２０ｅは、例えば、旋回台３上に雪が積もっている場合や雨で濡れているような場合に、オペレータが旋回台３上の通路部分を移動する際の転倒防止用に設けられている。具体的には、滑り止め材２０ａ〜２０ｅは、図２に示すように、点検時等に開閉するエンジンフード１４の周辺を含む旋回台３の上面にそれぞれ配置されている。なお、この滑り止め材２０ａ〜２０ｅについては、後段にて詳述する。
【００３１】
［滑り止め材２０ａ〜２０ｅ］
本実施形態では、上述したように、旋回台３上における通路部分に沿って、その場所ごとに適切な大きさで成形された複数の滑り止め材２０ａ〜２０ｅを設けている。また、滑り止め材２０ａ〜２０ｅは、熱可塑性で結晶性のポリエステル系樹脂であるＰＢＴ（ポリブチレンテレフタレート）を用いて、後述する成形用金型５１，５２（図１３参照）内に溶融した樹脂を注入する射出成形によって一体成形されている。なお、射出成形には、一般的な射出成形機を用いることができる。ここで、ＰＢＴは、比較的機械的強度も大きく、熱劣化や熱変形しにくく耐熱性、寸法安定性、成形性に優れるという特性を有している。このため、滑り止め材２０ａ〜２０ｅの表面に形成された突起部２２ａ〜２２ｅ等の細かい部分まで正確に成形することができる。さらに、旋回台３上における通路部分という、直射日光にさらされ、かつエンジンルーム６等の熱が伝達される過酷な環境下において使用される場合でも、熱による変形等を抑制することができる。
【００３２】
滑り止め材２０ａは、平面視において旋回台３上における右側に配置されたバッテリケースの上面３０ａに設けられている。また、滑り止め材２０ａは、図３に示すように、シート状の平面部２１ａと、平面部２１ａの表面から突出する複数の突起部２２ａと、を備えている。
【００３３】
滑り止め材２０ｂは、平面視において旋回台３上における右側であって、バッテリケースの上面３０ａの後方に配置された燃料タンクの上面３０ｂに設けられている。また、滑り止め材２０ｂは、図４に示すように、シート状の平面部２１ｂと、平面部２１ｂの表面から突出する複数の突起部２２ｂと、を備えている。
【００３４】
滑り止め材２０ｃは、平面視において旋回台３上におけるほぼ中央部分であって、作業機４の取付位置の後方、かつエンジンフード１４の前方に配置されたバルブカバーの上面３０ｃに設けられている。また、滑り止め材２０ｃは、図５に示すように、シート中の平面部２１ｃと、平面部２１ｃの表面から突出する複数の突起部２２ｃと、を備えている。
【００３５】
滑り止め材２０ｄは、平面視において旋回台３上におけるエンジンフード１４の左斜め前であって、旋回台３上のキャブ１０後方の上面３０ｄに設けられている。また、滑り止め材２０ｄは、図６に示すように、シート状の平面部２１ｄと、平面部２１ｄの表面から突出する複数の突起部２２ｄと、を備えている。
【００３６】
滑り止め材２０ｅは、平面視において旋回台３上におけるエンジンフード１４の後方であって、旋回台３の後端部に配置されたカウンタウェイト５の上面５ａに設けられている。また、滑り止め材２０ｅは、図７に示すように、シート状の平面部２１ｅと、平面部２１ｅの表面から突出する複数の突起部２２ｅと、を備えている。
【００３７】
（滑り止め材２０ｄ）
ここでは、上述した滑り止め材２０ａ〜２０ｅの詳細な構成について、滑り止め材２０ｄを例として挙げて以下で説明する。なお、他の滑り止め材２０ａ〜２０ｃ，２０ｅについても、基本的な構成は滑り止め材２０ｄと同様であるから、それぞれの説明については省略する。
【００３８】
滑り止め材２０ｄは、図８に示すように、平面部２１ｄの表面から突出するように形成された突起部２２ｄとは反対側の面（以下、裏面側と示す。）に設けられた粘着シート（粘着部）２４ｄを介して、キャブ１０後方の上面３０ｄに貼り付けられる。また、滑り止め材２０ｄは、図９および図１０に示すように、平面部２１ｄと、突起部２２ｄと、傾斜部２３ｄと、粘着シート２４ｄと、を備えている。
【００３９】
平面部２１ｄは、滑り止め材２０ｄの表面に露出する部分であって、図９に示すように、突起部２２ｄが形成されていない領域にシボパターン（滑り止め加工部）の滑り止め加工が施されている。なお、この平面部２１ｄのシボパターンは、滑り止め材２０ｄの成形用金型５１，５２（図１３参照）の成形面５１ｂ，５２ｂのうち、表面側である成形面５１ｂに形成されている。
【００４０】
突起部２２ｄは、図１１に示すように、平面視において略円径の３つの段差部２２ｄ１，２２ｄ２，２２ｄ３を積層して構成されている。そして、段差部２２ｄ１〜２２ｄ３は、下段に向かって平面視における面積が大きくなるように成形されている。これにより、最上段の段差部２２ｄ１が摩耗によって小さくなってしまった場合でも、その下段の段差部２２ｄ２，２２ｄ３の段差部分によって滑り止め効果を確保することができる。よって、滑り止め材２０ｄの使用可能な期間を延長することができる。
【００４１】
傾斜部２３ｄは、図９および図１０に示すように、平面部２１ｄにおける外周部分に沿って形成されており、外周側に向かって下方傾斜することで外周端側の厚みが薄くなるように形成されている。このため、図１２に示すように、オペレータが滑り止め材２０ｄの周辺を歩行する際に、滑り止め材２０ｄの端部に靴が引っ掛かって滑り止め材２０ｄが剥がれてきてしまうことを防止することができる。
【００４２】
粘着シート２４ｄは、滑り止め材２０ｄの裏面側に設けられており、平面部２１ｄや突起部２２ｄ、傾斜部２３ｄ等を含む状態で一体成形された後で貼り付けられる。このため、溶接によって固定していた金属製の滑り止め材と比較して、図８に示すように、滑り止め材２０ｄを粘着シート２４ｄを介して容易に設置することができる。
【００４３】
滑り止め材２０ｄを射出成形するための成形用金型５１，５２を、図１３に示す。成形用金型５１，５２は、ボルト穴５１ａ，５２ａに挿入されたボルトによって互いに固定される。そして、成形面５１ｂ、５２ｂによって成形用金型５１，５２の内部に形成される空間内に、ＰＢＴの溶融樹脂が流し込まれた後、冷却されることで、シボパターンを含む平面部２１ｄ、複数段の突起部２２ｄ、傾斜部２３ｄを容易に一体成形することができる。
【００４４】
［本滑り止め材２０ａ〜２０ｅの特徴］
（１）
本実施形態の滑り止め材２０ａ〜２０ｅ（例えば、滑り止め材２０ｄ）は、図９および図１０に示すように、シート状の平面部２１ｄと、平面部２１ｄの表面から突出する突起部２２ｄと、を備えている。そして、平面部２１ｄの表面には、シボパターンが滑り止め加工部として形成されている。さらに、シボパターンを含む平面部２１ｄおよび突起部２２ｄは、一体成形されている。
【００４５】
これにより、金属製の板材を加工したり複数の部材を組み合わせたりして構成される従来の滑り止め材と比較して、安価に成形することができる。さらに、平面部２１ｄの滑り止め加工（シボパターン）と突起部２２ｄとを組み合わせることによって、従来の金属製の滑り止め材と比較しても優れた滑り止め効果を得ることができる。
この結果、旋回台３上に雨水や雪がある状況下においても、安価な構成により十分な滑り止め効果を有する滑り止め材２０ｄを得ることができる。
【００４６】
（２）
本実施形態の滑り止め材２０ａ〜２０ｅ（例えば、滑り止め材２０ｄ）では、図１０および図１１に示すように、平面部２１ｄの表面から突出する突起部２２ｄが、複数の段差部２２ｄ１〜２２ｄ３を積層して形成されている。
【００４７】
これにより、それぞれの段差部分においてエッジを有するため、突起部２２ｄ単体での滑り止め効果を向上させることができる。この結果、摩耗や経年劣化等によって最上部の段差部２２ｄ１のエッジ部分が丸くなってしまった場合でも、２段目、３段目の段差部２２ｄ２，２２ｄ３において引き続き滑り止め効果を得ることができる。
【００４８】
（３）
本実施形態の滑り止め材２０ａ〜２０ｅ（例えば、滑り止め材２０ｄ）は、図９に示すように、平面部２１ｄの表面に形成されたシボパターンによって滑り止め加工されている。
【００４９】
これにより、成形用金型５１，５２を用いた一体成形によって、シボパターンが形成された平面部２１ｄを容易に成形することができる。そして、滑り止め効果を奏する突起部２２ｄが設けられていない平面部２１ｄの領域においても、シボパターンによって優れた滑り止め効果を得ることができる。
【００５０】
（４）
本実施形態の滑り止め材２０ａ〜２０ｅ（例えば、滑り止め材２０ｄ）は、図９等に示すように、シボパターンを含む平面部２１ｄや突起部２２ｄとともに、樹脂によって一体成形されている。
【００５１】
これにより、シボパターンや突起部２２ｄのような複雑な形状であっても、シート状の平面部２２ｄを成形した後で加工する必要がないため、十分な滑り止め効果を有する滑り止め材２０ｄを容易に製造することができる。
【００５２】
（５）
本実施形態の滑り止め材２０ａ〜２０ｅ（例えば、滑り止め材２０ｄ）は、図８および図１０に示すように、裏面側に粘着シート２４ｄを有している。
【００５３】
これにより、旋回台３の上面への設置を容易に行うことができるとともに、経年劣化等によって交換が必要になった場合でも、粘着シート２４ｄの部分を引き剥がして容易に交換することができる。この結果、従来の金属製の滑り止め材を溶接によって取り付けた構成と比較して、設置、交換作業に要する時間やコストを大幅に削減することができる。
【００５４】
（６）
本実施形態の滑り止め材２０ａ〜２０ｅ（例えば、滑り止め材２０ｄ）は、図１０および図１２に示すように、平面部２１ｄの外周端に沿って、外周側に向かって薄肉化する傾斜部２３ｄを備えている。
これにより、オペレータの靴が外縁部に引っ掛かってしまうことを防止して、滑り止め材２０ｄが剥がれてきてしまうことを回避することができる。
【００５５】
（７）
本実施形態の油圧ショベル１は、図１および図２に示すように、上述した滑り止め材２０ａ〜２０ｅを、旋回台３における上面に設けている。
【００５６】
これにより、例えば、エンジンルーム６の点検時等のように、旋回台３上において作業が必要な場合でも、安価に成形可能な滑り止め材２０ａ〜２０ｅによって旋回台３上においてオペレータが滑ってしまうことをより確実に防止することができる。
【００５７】
［他の実施形態］
以上、本発明の一実施形態について説明したが、本発明は上記実施形態に限定されるものではなく、発明の要旨を逸脱しない範囲で種々の変更が可能である。
【００５８】
（Ａ）
上記実施形態では、滑り止め材２０ａ〜２０ｅの一例として、表面に突起部２２ｄが８個形成されている滑り止め材２０ｄを例として挙げて説明した。しかし、本発明はこれに限定されるものではない。
【００５９】
例えば、図１４に示すように、突起部１２２の数を大幅に増やして平面部１２１の表面における密度を高くした滑り止め材１２０であってもよい。
この場合には、突起部１２２が密集しているため、平面部１２１の表面における突起部１２２が形成されていない領域にシボパターン等の滑り止め加工が形成されていない場合でも、十分な滑り止め効果を得ることができる。
【００６０】
（Ｂ）
上記実施形態では、滑り止め材２０ａ〜２０ｅの表面に形成された突起部２２ｄとして、３段の段差部２２ｄ１〜２２ｄ３を有するものを例として挙げて説明した。しかし、本発明はこれに限定されるものではない。
【００６１】
例えば、突起部の構成としては必ずしも複数の段差部を有するものでなくてもよいし、段差部の数としても３段に限定されるものではない。
ただし、複数段の突起部を形成することで、先端が摩耗していく過程においても十分な滑り止め効果を得ることができるという点では、上記実施形態のような複数段の突起部の構成を採用することが好ましい。
【００６２】
（Ｃ）
上記実施形態では、平面部２２ｄの表面に加工された滑り止め加工として、シボパターンを例として挙げて説明した。しかし、本発明はこれに限定されるものではない。
例えば、シボパターン以外にも、溝や凹凸を形成することで滑り止め加工としてもよい。
【００６３】
（Ｄ）
上記実施形態では、滑り止め材２０ｄの裏面側に粘着シート２４ｄを設け、粘着シート２４ｄを介して滑り止め材２０ｄを旋回台３の上面に貼り付けた例を挙げて説明した。しかし、本発明はこれに限定されるものではない。
【００６４】
例えば、裏面側の粘着シートの替わりに、接着剤等の粘着剤を用いて旋回台上に貼り付けるようにしてもよい。
ただし、摩耗や経年劣化等によって滑り止め材を交換する必要がある場合を考慮すれば、引き剥がし作業や貼付け作業が容易な粘着シートを用いて固定することがより好ましい。
【００６５】
（Ｅ）
上記実施形態では、滑り止め材２０ａ〜２０ｅの成形材料として、ＰＢＴを用いた例を挙げて説明した。しかし、本発明はこれに限定されるものではない。
【００６６】
例えば、耐熱性や耐候性等に優れた他の樹脂を用いて、滑り止め材を一体成形してもよい。
また、滑り止め材２０ａ〜２０ｅの成形材料としては、樹脂に限定されるものではなく、例えば、金属によって一体成形してもよい。
【００６７】
（Ｆ）
上記実施形態では、油圧ショベル１の旋回台３上における、カウンタウェイト５の上面５ａ、バッテリケースの上面３０ａ、燃料タンクの上面３０ｂ、バルブカバーの上面３０ｃ、およびキャブ後方の上面３０ｄ等に滑り止め材２０ａ〜２０ｅをそれぞれ設けた例を挙げて説明した。しかし、本発明はこれに限定されるものではない。
例えば、大型の建設機械等に設置される階段のステップ部分等のように、オペレータが移動する必要がある他の通路部分に対して、滑り止め材が設定されていてもよい。
【００６８】
（Ｇ）
上記実施形態では、本発明に係る滑り止め材２０ａ〜２０ｅが貼り付けられる建設機械として、油圧ショベル１を例として挙げて説明した。しかし、本発明はこれに限定されるものではない。
【００６９】
例えば、油圧ショベル以外にも、ホイルローダ等の他の建設機械や作業機械、産業機械の通路や階段部分等に対しても同様に適用可能である。
【産業上の利用可能性】
【００７０】
本発明の滑り止め材は、製造コストを抑制しつつ、優れた滑り止め効果を得ることができるという効果を奏することから、建設機械の通路や階段部分だけでなく、作業機械や産業機械等の作業位置、通路部分等に用いられる滑り止め材としても広く適用可能である。
【図面の簡単な説明】
【００７１】
【図１】本発明の一実施形態に係る滑り止め材が配置された旋回台を搭載した油圧ショベル全体の構成を示す斜視図。
【図２】図１の油圧ショベルの旋回台上の構成を示す平面図。
【図３】図２の旋回台上に貼り付けられた滑り止め材を示す拡大図。
【図４】図２の旋回台上に貼り付けられた滑り止め材を示す拡大図。
【図５】図２の旋回台上に貼り付けられた滑り止め材を示す拡大図。
【図６】図２の旋回台上に貼り付けられた滑り止め材を示す拡大図。
【図７】図２のカウンタウェイト上に貼り付けられた滑り止め材を示す拡大図。
【図８】図２の旋回台上へ滑り止め材を貼り付ける際の状態を示す模式図。
【図９】図６の滑り止め材の詳細な構成を示す平面図。
【図１０】図６の滑り止め材の詳細な構成を示す側面図。
【図１１】図１０の滑り止め材の表面に形成された突起部の構成を示す拡大図。
【図１２】図１０の滑り止め材の外周縁部に形成された傾斜部とオペレータの靴との関係を示す図。
【図１３】図１０の滑り止め材を成形するための１組の成形用金型の構成を示す図。
【図１４】本発明の他の実施形態に係る滑り止め材の構成を示す平面図。
【符号の説明】
【００７２】
１      油圧ショベル（建設機械）
２      下部走行体
３      旋回台（車体フレーム）
４      作業機
５      カウンタウェイト
５ａ    上面
６      エンジンルーム
９      機器室
１０      キャブ
１１      ブーム
１１ａ    油圧シリンダ
１２      アーム
１２ａ    油圧シリンダ
１３      バケット
１３ａ    油圧シリンダ
１４      エンジンフード
２０ａ〜２０ｅ  滑り止め材
２１ａ〜２１ｅ  平面部
２２ａ〜２２ｅ  突起部
２２ｄ１〜２２ｄ３  段差部
２３ｄ      傾斜部
２４ｄ      粘着シート（粘着部）
３０ａ    バッテリケースの上面
３０ｂ    燃料タンクの上面
３０ｃ    バルブカバーの上面
３０ｄ    キャブ後方の上面
５１，５２  成形用金型
５１ａ，５２ａ  ボルト穴
５１ｂ，５２ｂ  成形面
１２０    滑り止め材
１２１    平面部
１２２    突起部
Ｐ      履帯
【図１】
0005280031.tif 000002
【図２】
0005280031.tif 000003
【図３】
0005280031.tif 000004
【図４】
0005280031.tif 000005
【図５】
0005280031.tif 000006
【図６】
0005280031.tif 000007
【図７】
0005280031.tif 000008
【図８】
0005280031.tif 000009
【図９】
0005280031.tif 000010
【図１０】
0005280031.tif 000011
【図１１】
0005280031.tif 000012
【図１２】
0005280031.tif 000013
【図１３】
0005280031.tif 000014
【図１４】
0005280031.tif 000015